(57)【要約】【課題】電波を受信しやすい方向へ屈曲可能であると共に、利用者が誤ってアンテナに曲げ荷重を負荷した場合に、アンテナの破損を防止することができる携帯端末用アンテナ及び携帯端末を提供する。【解決手段】アンテナエレメント２１を有するアンテナ部２０と、ホルダー５０と導通可能に接触する接触導通部３０とを備える携帯端末用アンテナ１０であって、アンテナ部２０の基端部を接触導通部３０の先端部に軸支してアンテナ部２０を接触導通部３０に対して屈曲可能に締結し、接触導通部３０の先端部で係止体３２を先端方向にバネ材３３で付勢し、係止体３２の先端面に形成された凸曲面３２３をアンテナ部２０の基端面に形成された凹曲面２４３に係脱可能に係合することにより、アンテナ部２０の長手方向を接触導通部３０の長手方向に対して１〜１０度傾斜させてアンテナ部２０を支持することを特徴とする。【選択図】図４
2008236571.tif 000002
【特許請求の範囲】
【請求項１】
アンテナエレメントを有するアンテナ部と、
ホルダーと導通可能に接触する接触導通部とを備える携帯端末用アンテナであって、
前記アンテナ部の基端部を前記接触導通部の先端部に軸支して前記アンテナ部を前記接触導通部に対して屈曲可能に締結し、
前記接触導通部の先端部で係止体を先端方向に弾性材で付勢し、前記係止体の先端面に形成された凸曲面を前記アンテナ部の基端面に形成された凹曲面に係脱可能に係合することにより、
前記アンテナ部の長手方向を前記接触導通部の長手方向に対して傾斜させて前記アンテナ部を支持することを特徴とする携帯端末用アンテナ。
【請求項２】
アンテナエレメントを有するアンテナ部と、
ホルダーと導通可能に接触する接触導通部とを備える携帯端末用アンテナであって、
前記アンテナ部の基端部を前記接触導通部の先端部に軸支して前記アンテナ部を前記接触導通部に対して屈曲可能に締結し、
前記接触導通部の先端部で係止体を先端方向に弾性材で付勢し、前記係止体の先端面に形成された凹曲面を前記アンテナ部の基端面に形成された凸曲面に係脱可能に係合することにより、
前記アンテナ部の長手方向を前記接触導通部の長手方向に対して傾斜させて前記アンテナ部を支持することを特徴とする携帯端末用アンテナ。
【請求項３】
前記係合状態に於ける前記アンテナ部の長手方向と前記接触導通部の長手方向との傾斜角度を１〜１５度とすることを特徴とする請求項１又は２記載の携帯端末用アンテナ。
【請求項４】
請求項１〜３の何れかに記載の携帯端末用アンテナを備えることを特徴とする携帯端末。
【発明の詳細な説明】
【技術分野】
【０００１】
本発明は、携帯端末用アンテナ及びそのアンテナを備える携帯端末に関する。
【背景技術】
【０００２】
携帯端末用のアンテナは、直線状のアンテナエレメントと、アンテナの下端近傍にアンテナエレメントと導通する接触導通部とを有し、内側にバネ材を収容したホルダー内を移動可能に設けられるものが一般的であり、アンテナ部の伸長時に接触導通部がホルダー内のバネ材と接触し、給電部から給電されるホルダーからバネ材、接触部を介してアンテナエレメントに給電される（特許文献１、２参照）。
【０００３】
【特許文献１】特開２０００−３５３９０９号公報
【特許文献２】特開２００２−４３８１４号公報
【発明の開示】
【発明が解決しようとする課題】
【０００４】
ところで、近年、地上波デジタルテレビ放送の受信機能を有する携帯端末の需要が増大しているが、前記放送波の受信状態は地形や場所によって劣化しやすいため、そのアンテナは前記放送波を受信しやすい方向へ屈曲できるものであることが望まれる。また、利用者が誤ってアンテナに荷重を負荷した場合に、アンテナが破損することを防止することも求められる。
【０００５】
本発明は上記課題に鑑み提案するものであって、電波を受信しやすい方向へ屈曲可能であると共に、利用者が誤ってアンテナに荷重を負荷した場合に、アンテナの破損を防止することができる携帯端末用アンテナ及び携帯端末を提供することを目的とする。
【課題を解決するための手段】
【０００６】
本発明の携帯端末用アンテナは、アンテナエレメントを有するアンテナ部と、ホルダーと導通可能に接触する接触導通部とを備える携帯端末用アンテナであって、前記アンテナ部の基端部を前記接触導通部の先端部に軸支して前記アンテナ部を前記接触導通部に対して屈曲可能に締結し、前記接触導通部の先端部で係止体を先端方向に弾性材で付勢し、前記係止体の先端面に形成された凸曲面を前記アンテナ部の基端面に形成された凹曲面に係脱可能に係合することにより、前記アンテナ部の長手方向を前記接触導通部の長手方向に対して傾斜させて前記アンテナ部を支持することを特徴とする。
【０００７】
また、本発明の携帯端末用アンテナは、アンテナエレメントを有するアンテナ部と、ホルダーと導通可能に接触する接触導通部とを備える携帯端末用アンテナであって、前記アンテナ部の基端部を前記接触導通部の先端部に軸支して前記アンテナ部を前記接触導通部に対して屈曲可能に締結し、前記接触導通部の先端部で係止体を先端方向に弾性材で付勢し、前記係止体の先端面に形成された凹曲面を前記アンテナ部の基端面に形成された凸曲面に係脱可能に係合することにより、前記アンテナ部の長手方向を前記接触導通部の長手方向に対して傾斜させて前記アンテナ部を支持することを特徴とする。
【０００８】
また、本発明の携帯端末用アンテナは、前記係合状態に於ける前記アンテナ部の長手方向と前記接触導通部の長手方向との傾斜角度を１〜１５度とすることを特徴とする。前記傾斜角度は、２〜６度、更には３〜５度とするとより好適である。
【０００９】
また、本発明の携帯端末は、本発明の携帯端末用アンテナを備えることを特徴とする。前記携帯端末は、例えば携帯電話、ＰＤＡ等とすることが可能である。
【００１０】
尚、本願の発明には、各発明や各実施形態の構成の他に、これらの部分的な構成を他の構成に変更して特定したもの、或いはこれらの構成に他の構成を付加して特定したもの、或いはこれらの部分的な構成を部分的な作用効果が得られる限度で削除して特定した上位概念化したものも含まれる。
【発明の効果】
【００１１】
本発明は、アンテナ部の基端部を接触導通部の先端部に軸支して締結することにより、電波を受信しやすい方向へアンテナ部を屈曲することができ、例えば放送波の受信状態の劣る場所でも良好に放送波を受信することができる。また、接触導通部の係止体の凸曲面又は凹曲面をアンテナ部の凹曲面又は凸曲面に係脱可能に係合して、アンテナ部を接触導通部に対して傾斜支持することにより、アンテナ部を傾斜する所定方向へ倒れやすくした状態で安定させることができる。前記傾斜状態では、例えば利用者がアンテナに誤って荷重を負荷した場合に、アンテナ部が傾斜している方向へ倒れて荷重を逃がすことができ、アンテナの破損を防止することができる。
【００１２】
また、凸曲面と凹曲面の係合状態に於けるアンテナ部と接触導通部の傾斜角度を１〜１５度とすることにより、アンテナ部を接触導通部に対して概略垂直にしての電波受信を確保することができると共に、アンテナの破損を防止することができる。
【発明を実施するための最良の形態】
【００１３】
本発明の携帯端末用アンテナの実施形態を図面に沿って説明する。
【００１４】
本実施形態の携帯端末用アンテナ１０は、例えば携帯電話、ＰＤＡ等の携帯端末に設置されるものであり、図１〜図４に示すように、アンテナ部２０と、接触導通部３０とを備え、アンテナ部２０の基端部が接触導通部３０の先端部に軸支され、アンテナ部２０が接触導通部３０に対して屈曲可能に締結されている。
【００１５】
アンテナ部２０は、ニッケル−チタン系合金等の超弾性の形状記憶合金で形成された細長棒状のアンテナエレメント２１を有し、アンテナエレメント２１は、その先端部と基端部以外の中間部を円筒形の絶縁カバー２２で被覆されている。絶縁カバー２２は、絶縁性と可撓性を有する素材であれば適宜であるが、例えばナイロン、ポリプロピレン等の弾性樹脂とすると好適である。アンテナエレメント２１の先端部には絶縁性の樹脂等で形成されたアンテナトップ２３が設けられており、アンテナトップ２３の段差状に形成された取付穴２３１にアンテナエレメント２１の先端部及び絶縁カバー２２の先端部が挿入され、取付穴２３１でアンテナトップ２３とアンテナエレメント２１及び絶縁カバー２２とが固着されている。
【００１６】
アンテナエレメント２１の基端部には、キャップ状の連結具２４が設けられており、連結具２４はリン青銅等の導電性の素材で形成されている。連結具２４には段差状に形成された取付穴２４１が設けられており、取付穴２４１にアンテナエレメント２１の基端部及び絶縁カバー２２の基端部が挿入され、取付穴２４１で連結具２４とアンテナエレメント２１及び絶縁カバー２２とが固着され、前記固着により、アンテナエレメント２１と連結具２４とが導通可能に接触する。また、図４及び図５に示すように、連結具２４には、その下側（アンテナ１０の基端側）に突出する突出片２４２が形成され、突出片２４２には挿通孔が形成されている。更に、アンテナ部２０の基端面に形成された凹曲面として、突出片２４２の下面に正面視略円弧状の凹曲面２４３が形成されている。凹曲面２４３は、アンテナ部２０の長手方向の中心線に対して屈曲可能な方向へずらして非対称に形成されている。
【００１７】
接触導通部３０は、内部に段差状の穴３１１が形成された略円筒形の本体３１を有し、本体３１の先端には一対の挟持片３１２・３１２が形成されている。本体３１は真鍮等の導電性の素材で形成されている。本体３１の上部には、穴３１１に沿って摺動可能に係止体３２が内装されている。係止体３２の上部は穴３１１の上端部３１３の径より小径の小径部３２１、その下部は穴３１１の上端部３１３の径より大径の大径部３２２になっており、小径部３２１の先端面には略半球面状の凸曲面３２３が形成されている。本体３１の係止体３２の下側には弾性材としてバネ材３３が内装されており、係止体３２は、大径部３２２が穴３１１の上端部３１３に当接する状態を限度として、バネ材３３で先端方向へ付勢され、小径部３２１が穴３１１の上端部から先端側へ突出している。本体３１のバネ材３３の下側にはストッパ部３４が設けられている。ストッパ部３４は、取付部３４１と、取付部３４１よりも大径で下端に設けられた規制部３４２とで構成され、取付部３４１を穴３１１の下部に螺着して本体３１に固定され、取付部３４１の上端面でバネ材３３の下端を支持している。
【００１８】
接触導通部３０の本体３１とアンテナ部２０の連結具２４は、挟持片３１２・３１２の間に突出片２４２を挿入して各挿通孔が連通するように配置され、連通する挿通孔に回動軸を構成する締結具として例えば締結リベット４０が挿入され、締結リベット４０の先端を潰して締結される。前記締結具による締結により、突出片２４２が挟持片３１２・３１２に挟持されて双方の接触導通状態が維持され、本体３１と連結具２４との導通状態が維持される。また、前記回動軸を構成する締結具による締結及び挟持片３１２・３１２による突出片２４２の挟持により、アンテナ部２０は接触導通部３０に対し、締結具の回転軸に対して垂直面内を弧を描くように回動して屈曲可能となると共に、アンテナ部２０を接触導通部３０に対して任意位置に屈曲した状態を維持することが可能となる。
【００１９】
更に、アンテナ部２０と接触導通部３０とを略一直線に近い状態にした場合には、アンテナ部２０の長手方向の中心線に対して屈曲可能な方向へずらして形成されている凹曲面２４３に、バネ材３３で付勢される係止体３２の凸曲面３２３が係脱可能に係合し、例えばアンテナ部２０の長手方向と接触導通部３０の長手方向の傾斜角度が１〜１０度など、アンテナ部２０が接触導通部３０に対して垂直方向から僅かに傾斜した所定の傾斜角度で安定して支持される。即ち、アンテナ部２０が接触導通部３０に対して一直線状になる位置ではなく、前記係合により傾斜した状態でアンテナ部２０の位置を安定させることができる。
【００２０】
上記携帯端末用アンテナ１０は、携帯電話等の筐体６０に設置されるホルダー５０に挿入して取り付けられる。ホルダー５０は、リン青銅等の導電性素材で形成され、図１、図２、図４に示すように、円筒形の筒部５１と、筒部５１の内面に突出して略等間隔で複数形成された接触部５２と、筒部５１の上端から外方へ拡がる鍔部５３と、鍔部５３に形成された取付穴５４とを有する。尚、接触部５２は、内面に盛り上げて形成する構成、或いは切り起こして形成する構成等とすることが可能であり、又、筒部５１に一体的に接触部５２を設ける構成に代え、導電性のバネ材をホルダー５０に収容し、バネ材と本体３１が摺動すると共にバネ材を介して本体３１とホルダー５０が導通する構成としてもよい。ホルダー５０は、筐体６０の取付壁６１に形成された穴部６２に筒部５１を挿通され、取付壁６１の外面に鍔部５３が接触するように配置され、取付穴５４と取付壁６１に螺子を螺着する等により、筐体６０に取り付けられる。
【００２１】
携帯端末用アンテナ１０は、ホルダー５０の筒部５１内に伸縮移動可能に挿入され、筐体６０からの引き出しと筐体６０への収容が可能となる。携帯端末用アンテナ１０の引出時には、接触導通部３０の本体３１と接触部５２とが摺動して、筒部５１の基端面にストッパ部３４の規制部３４２が当接し、接触導通部３０の本体３１を付勢或いは押圧するように本体３１に接触部５２が接触し、ホルダー５０と接触導通部３０とが導通可能に接触する。ホルダー５０には図示しない給電部から給電され、接触部５２と本体３１との接触により、ホルダー５０から本体３１、連結具２４を介してアンテナエレメント２１に給電される。
【００２２】
上記実施形態の携帯端末用アンテナ１０は、電波を受信しやすい方向へアンテナ部２１を屈曲することができ、例えば放送波の受信状態の劣る場所でも良好に放送波を受信することができる。また、接触導通部３０の係止体３２の凸曲面３２３をアンテナ部２０の凹曲面２４３に係脱可能に係合して、アンテナ部２０を接触導通部３０に対して傾斜支持することが可能であるから、アンテナ部２０を傾斜する所定方向へ倒れやすくした状態で安定させることができる。アンテナ部２０を前記傾斜状態にしておくことにより、例えば利用者がアンテナ１０に誤って荷重を負荷した場合に、アンテナ部２０が傾斜している方向へ倒れて荷重を逃がすことができ、アンテナ１０の破損を防止することができる。
【００２３】
尚、上記実施形態では、接触導通部３０の係止体３２の凸曲面３２３をアンテナ部２０の凹曲面２４３に係脱可能に係合する構成としたが、図６に示すように、接触導通部３０の係止体３２の凹曲面３２４をアンテナ部２０の凸曲面２４４に係脱可能に係合し、アンテナ部２０を接触導通部３０に対して傾斜支持する構成としてもよい。図６の例では、突出片２４２の下端の凸曲面２４４を締結リベット４０の同心円よりも曲率が大きい緩やかな弧状に形成し、係止体３２の凹曲面３２４を係止体３２の長手方向の中心線に対して屈曲可能な方向へずらして非対称に形成しており、凹曲面３２４が凸曲面２４４の先端近傍と形状が一致して係合するようになっている。
【産業上の利用可能性】
【００２４】
本発明は、例えば携帯電話等の携帯端末用のアンテナとして利用することができる。
【図面の簡単な説明】
【００２５】
【図１】実施形態の携帯端末用アンテナの斜視図。
【図２】（ａ）は実施形態の携帯端末用アンテナの正面図、（ｂ）は実施形態の携帯端末用アンテナの側面図。
【図３】実施形態の携帯端末用アンテナの一部を示す縦断側面図。
【図４】実施形態の携帯端末用アンテナの下部を示す縦断正面図。
【図５】（ａ）は図４のアンテナ部の凹曲面と基端部の芯金との係合部分を示す拡大断面図、（ｂ）は同図（ａ）のアンテナ部の底面図。
【図６】実施形態の変形例に於けるアンテナ部の凹曲面と基端部の芯金との係合部分を示す拡大断面図。
【符号の説明】
【００２６】
１０…携帯端末用アンテナ
２０…アンテナ部  ２１…アンテナエレメント  ２２…絶縁カバー  ２３…アンテナトップ  ２３１…取付穴  ２４…連結具  ２４１…取付穴  ２４２…突出片  ２４３…凹曲面  ２４４…凸曲面
３０…接触導通部  ３１…本体  ３１１…穴  ３１２…挟持片  ３２…係止体  ３２１…小径部  ３２２…大径部  ３２３…凸曲面  ３２４…凹曲面  ３３…バネ材  ３４…ストッパ部  ３４１…取付部  ３４２…規制部
４０…締結リベット
５０…ホルダー  ５１…筒部  ５２…接触部  ５３…鍔部  ５４…取付穴
６０…筐体  ６１…取付壁  ６２…穴部
【図１】
2008236571.tif 000003
【図２】
2008236571.tif 000004
【図３】
2008236571.tif 000005
【図４】
2008236571.tif 000006
【図５】
2008236571.tif 000007
【図６】
2008236571.tif 000008